(57)【要約】      （修正有）【課題】誤発光の通信装置を迅速に特定して分離する。【解決手段】複数の加入者側装置と、複数の加入者側装置を収容する運用系の通信部および予備系の通信部を備える通信装置と、光スイッチとを有する通信システムであって、通信装置は、運用系の通信部が収容する複数の加入者側装置の回線障害を検出した場合、複数の加入者側装置の一部を予備系の通信部に切り替えて、運用系の通信部または予備系の通信部の回線障害が復旧するか否かを確認することにより、複数の加入者側装置の中から誤発光に陥った加入者側装置を特定する。【選択図】図１
2015144368.tif 000002
【特許請求の範囲】
【請求項１】
複数の加入者側装置と、前記複数の加入者側装置を収容する運用系の通信部および予備系の通信部を備える通信装置と、光スイッチとを有する通信システムであって、
前記通信装置は、前記運用系の通信部が収容する前記複数の加入者側装置の回線障害を検出した場合、前記複数の加入者側装置の一部を前記予備系の通信部に切り替えて、前記運用系の通信部または前記予備系の通信部の回線障害が復旧するか否かを確認することにより、前記複数の加入者側装置の中から誤発光に陥った前記加入者側装置を特定する
ことを特徴とする通信システム。
【請求項２】
請求項１に記載の通信システムにおいて、
前記通信装置は、前記複数の加入者側装置を１台ずつ前記予備系の通信部に切り替える毎に、前記運用系の通信部の回線障害が復旧するか否かを確認する
ことを特徴とする通信システム。
【請求項３】
請求項１に記載の通信システムにおいて、
前記通信装置は、前記複数の加入者側装置のうち予め決められた所定割合の前記加入者側装置を前記予備系の通信部に切り替えて、前記運用系の通信部または前記予備系の通信部の回線障害が復旧するか否かを確認し、
さらに、前記通信装置は、前記運用系の通信部または前記予備系の通信部のうち回線障害が復旧しない系の前記通信部に接続されている前記加入者側装置に対して、予め決められた所定割合の前記加入者側装置を前記運用系の通信部または前記予備系の通信部のうち回線障害が生じていない系の前記通信部に切り替えて、前記運用系の通信部または前記予備系の通信部の回線障害が復旧するか否かを確認する処理を繰り返す
ことを特徴とする通信システム。
【請求項４】
複数の加入者側装置を光スイッチを収容する運用系の通信部および予備系の通信部を備える通信装置であって、
前記運用系の通信部が収容する前記複数の加入者側装置の回線障害を検出する警報収集部と、
前記複数の加入者側装置の一部を前記予備系の通信部に切り替える切替部と、
前記運用系の通信部または前記予備系の通信部の回線障害が復旧するか否かを確認することにより、前記複数の加入者側装置の中から誤発光に陥った前記加入者側装置を特定する制御部と
を有することを特徴とする通信装置。
【請求項５】
請求項４に記載の通信装置において、
前記制御部は、前記複数の加入者側装置を１台ずつ前記予備系の通信部に切り替える毎に、前記運用系の通信部の回線障害が復旧するか否かを確認する
ことを特徴とする通信装置。
【請求項６】
請求項４に記載の通信装置において、
前記制御部は、前記複数の加入者側装置のうち予め決められた所定割合の前記加入者側装置を前記予備系の通信部に切り替えて、前記運用系の通信部または前記予備系の通信部の回線障害が復旧するか否かを確認し、
さらに、前記制御部は、前記運用系の通信部または前記予備系の通信部のうち回線障害が復旧しない系の前記通信部に接続されている前記加入者側装置に対して、予め決められた所定割合の前記加入者側装置を前記運用系の通信部または前記予備系の通信部のうち回線障害が生じていない系の前記通信部に切り替えて、前記運用系の通信部または前記予備系の通信部の回線障害が復旧するか否かを確認する処理を繰り返す
ことを特徴とする通信装置。
【請求項７】
複数の加入者側装置と、前記複数の加入者側装置を収容する運用系の通信部および予備系の通信部を備える通信装置と、光スイッチとを有する通信システムにおける前記加入者側装置の故障装置検出方法であって、
前記通信装置は、前記運用系の通信部が収容する前記複数の加入者側装置の回線障害を検出した場合、前記複数の加入者側装置の一部を前記予備系の通信部に切り替えて、前記運用系の通信部または前記予備系の通信部の回線障害が復旧するか否かを確認することにより、前記複数の加入者側装置の中から誤発光に陥った前記加入者側装置を特定する
ことを特徴とする故障装置検出方法。
【請求項８】
請求項７に記載の故障装置検出方法において、
前記通信装置は、前記複数の加入者側装置を１台ずつ前記予備系の通信部に切り替える毎に、前記運用系の通信部の回線障害が復旧するか否かを確認する
ことを特徴とする故障装置検出方法。
【請求項９】
請求項７に記載の故障装置検出方法において、
前記通信装置は、前記複数の加入者側装置のうち予め決められた所定割合の前記加入者側装置を前記予備系の通信部に切り替えて、前記運用系の通信部または前記予備系の通信部の回線障害が復旧するか否かを確認し、
さらに、前記通信装置は、前記運用系の通信部または前記予備系の通信部のうち回線障害が復旧しない系の前記通信部に接続されている前記加入者側装置に対して、予め決められた所定割合の前記加入者側装置を前記運用系の通信部または前記予備系の通信部のうち回線障害が生じていない系の前記通信部に切り替えて、前記運用系の通信部または前記予備系の通信部の回線障害が復旧するか否かを確認する処理を繰り返す
ことを特徴とする故障装置検出方法。
【発明の詳細な説明】
【技術分野】
【０００１】
本発明は、通信システム、通信装置および故障装置検出方法に関する。
【背景技術】
【０００２】
近年、１本の光ファイバーを複数の加入者側装置で共有するＰＯＮ（Passive Optical Network）システムが広く普及している。ＰＯＮシステムは、局側装置としてＯＬＴ（Optical Line Terminal）が配置され、加入者側装置として複数のＯＮＵ（Optical Network Unit）が配置される。そして、ＯＮＵからＯＬＴへの上り回線では、複数のＯＮＵから送信されるフレームが衝突しないように、ＯＬＴが各ＯＮＵの送信タイミングを制御している。
【０００３】
一方、故障などにより、ＯＮＵのレーザーダイオードが発光したままの状態になることがある（以降、誤発光と称する）。ＰＯＮシステムは、ＯＬＴの制御により、複数のＯＮＵが送信する光信号を時分割多重しているので、１台のＯＮＵが誤発光の状態になると、他のＯＮＵの光信号と重なるため、全てのＯＮＵが正常な送信を行うことができなくなる。そこで、発光を停止させる制御フレームを用いる方法により、誤発光のＯＮＵを特定する技術が検討されている（例えば特許文献１参照）。
【先行技術文献】
【特許文献】
【０００４】
【特許文献１】特開２００６−１７４２７０号公報
【発明の概要】
【発明が解決しようとする課題】
【０００５】
ところが、ＯＮＵ自体が故障している場合、制御フレームを受信することが難しいため、保守者は、誤発光のＯＮＵを特定することが困難である。また、誤発光のＯＮＵを特定できたとしても、保守者は、現場に出向き、誤発光のＯＮＵを切り離すなどの対応を行うことが求められる。特に、ＯＮＵは、加入者宅にあるため、交換作業をすぐに行うことが難しく、同じＯＬＴに収容されている他のＯＮＵは、長時間、通信することが困難な状態になる。
【０００６】
本件開示の通信システム、通信装置および故障装置検出方法は、誤発光の通信装置を特定して分離する技術を提供することを目的とする。
【課題を解決するための手段】
【０００７】
一つの観点によれば、複数の加入者側装置と、複数の加入者側装置を収容する運用系の通信部および予備系の通信部を備える通信装置と、光スイッチとを有する通信システムであって、通信装置は、運用系の通信部が収容する複数の加入者側装置の回線障害を検出した場合、複数の加入者側装置の一部を予備系の通信部に切り替えて、運用系の通信部または予備系の通信部の回線障害が復旧するか否かを確認することにより、複数の加入者側装置の中から誤発光に陥った加入者側装置を特定することを特徴とする。
【０００８】
一つの観点によれば、複数の加入者側装置を光スイッチを収容する運用系の通信部および予備系の通信部を備える通信装置であって、運用系の通信部が収容する複数の加入者側装置の回線障害を検出する警報収集部と、複数の加入者側装置の一部を予備系の通信部に切り替える切替部と、運用系の通信部または予備系の通信部の回線障害が復旧するか否かを確認することにより、複数の加入者側装置の中から誤発光に陥った加入者側装置を特定する制御部とを有することを特徴とする。
【０００９】
一つの観点によれば、複数の加入者側装置と、複数の加入者側装置を収容する運用系の通信部および予備系の通信部を備える通信装置と、光スイッチとを有する通信システムにおける加入者側装置の故障装置検出方法であって、通信装置は、運用系の通信部が収容する複数の加入者側装置の回線障害を検出した場合、複数の加入者側装置の一部を予備系の通信部に切り替えて、運用系の通信部または予備系の通信部の回線障害が復旧するか否かを確認することにより、複数の加入者側装置の中から誤発光に陥った加入者側装置を特定することを特徴とする。
【発明の効果】
【００１０】
本件開示の通信システム、通信装置および故障装置検出方法は、誤発光の通信装置を特定して分離することができる。
【図面の簡単な説明】
【００１１】
【図１】ＰＯＮシステムの一例を示す図である。
【図２】光スイッチユニットをオンオフする制御の一例を示す図である。
【図３】誤発光が発生した時の問題点を示す図である。
【図４】運用系のＯＬＴから予備系のＯＬＴに切り替える時の一例を示す図である。
【図５】誤発光のＯＮＵを特定する処理例を示すフローチャートである。
【図６】奇数番目のＯＮＵを切り替える一例を示す図である。
【図７】ＰＯＮ−ＩＦが複数のＯＬＴを有する場合の一例を示す図である。
【発明を実施するための形態】
【００１２】
以下、図面を用いて実施形態を説明する。
【００１３】
［ＰＯＮシステム１００］
図１は、ＰＯＮシステム１００の一例を示す。図１において、ＰＯＮシステム１００は、ＯＮＵ１０１(1-1)からＯＮＵ１０１(1-128)と、ＯＮＵ１０１(2-1)からＯＮＵ１０１(2-128)と、ＯＮＵ１０１((n-1)-1)からＯＮＵ１０１((n-1)-128)とを有する。尚、ｎは正の整数である。さらに、ＰＯＮシステム１００は、集線ＯＬＴ装置１０２と、光スイッチユニット１０３とを有する。また、集線ＯＬＴ装置１０２は、ＰＯＮ−ＩＦ（PONーInterface）１５１(1)、ＰＯＮ−ＩＦ１５１(2) 、ＰＯＮ−ＩＦ１５１(n-1)およびＰＯＮ−ＩＦ１５１(n)と、ＳＷ（SWitch）盤１５２と、ＣＰＵ（Central Processing Unit）盤１５３とを有する。
【００１４】
ここで、ＰＯＮ−ＩＦ１５１(1)、ＰＯＮ−ＩＦ１５１(2)、ＰＯＮ−ＩＦ１５１(n-1)およびＰＯＮ−ＩＦ１５１(n)に共通の内容を説明する場合は、符号末尾の(1)，(2)，(n-1)および(n)を省略してＰＯＮ−ＩＦ１５１と表記する。また、ＯＮＵ１０１(1-1)からＯＮＵ１０１(1-128)、ＯＮＵ１０１(2-1)からＯＮＵ１０１(2-128)およびＯＮＵ１０１((n-1)-1)からＯＮＵ１０１((n-1)-128)に共通の内容を説明する場合は、符号末尾の（第１数字−第２数字）を省略してＯＮＵ１０１と表記する。ここで、第１数字は、収容されるＰＯＮ−ＩＦ１５１の番号を示し、例えばＯＮＵ１０１(1- )は、ＰＯＮ−ＩＦ１５１(1)に収容される。また、第２数字は、収容されるＰＯＮ−ＩＦ１５１内のＯＮＵの番号を示す。例えば、ＯＮＵ１０１(1-1)は、ＰＯＮ−ＩＦ１５１(1)に収容される１台目のＯＮＵを示し、ＯＮＵ１０１(2-128)は、ＰＯＮ−ＩＦ１５１(2)に収容される１２８台目のＯＮＵを示す。
【００１５】
図１において、集線ＯＬＴ装置１０２は、複数のＰＯＮ−ＩＦ１５１を集約して、上位網に接続するための装置である。図１の例では、集線ＯＬＴ装置１０２は、ＰＯＮ−ＩＦ１５１(1)からＰＯＮ−ＩＦ１５１(n)までのｎ個のＰＯＮ−ＩＦ１５１をＳＷ盤１５２で集約して、上位網に接続する。
【００１６】
ここで、ＰＯＮ−ＩＦ１５１は、運用系のＰＯＮ−ＩＦ１５１と、予備系のＰＯＮ−ＩＦ１５１とを有する。例えば、図１に示した集線ＯＬＴ装置１０２は、ＰＯＮ−ＩＦ１５１(1)からＰＯＮ−ＩＦ１５１(n-1)までの（ｎ−１）台の運用系のＰＯＮ−ＩＦ１５１と、ＰＯＮ−ＩＦ１５１(n)の１台の予備系のＰＯＮ−ＩＦ１５１とを有する。そして、運用系のＰＯＮ−ＩＦ１５１(1)からＰＯＮ−ＩＦ１５１(n-1)のいずれかが故障した場合やメンテナンスを行う場合、予備系のＰＯＮ−ＩＦ１５１(n)は、一時的に、運用系のＰＯＮ−ＩＦ１５１の代わりに動作する。
【００１７】
光スイッチユニット１０３は、集線ＯＬＴ装置１０２の各ＰＯＮ−ＩＦ１５１と、複数のＯＮＵ１０１との接続を自由に変えることができるＭ対Ｎ（Ｍ，Ｎは、正の整数）の光スイッチを有する。尚、光スイッチユニット１０３は、後述する集線ＯＬＴ装置１０２のＣＰＵ盤１５３により制御される。
【００１８】
［集線ＯＬＴ装置１０２］
集線ＯＬＴ装置１０２のＰＯＮ−ＩＦ１５１(1)、ＰＯＮ−ＩＦ１５１(2)、ＰＯＮ−ＩＦ１５１(n-1)およびＰＯＮ−ＩＦ１５１(n)は、それぞれパッケージ化され、複数のＯＮＵ１０１を収容可能な単独のＯＬＴとして機能する。例えば、ＰＯＮ−ＩＦ１５１(1)は、ＯＮＵ１０１(1-1)からＯＮＵ１０１(1-128)までの１２８台のＯＮＵ１０１を収容し、ＰＯＮ−ＩＦ１５１(2)は、ＯＮＵ１０１(2-1)からＯＮＵ１０１(2-128)までの１２８台のＯＮＵ１０１を収容する。同様に、ＰＯＮ−ＩＦ１５１(n-1)は、ＯＮＵ１０１((n-1)-1)からＯＮＵ１０１((n-1)-128)までの１２８台のＯＮＵ１０１を収容する。
【００１９】
ＰＯＮ−ＩＦ１５１(1)は、ＯＬＴ２０１(1)と、ＳＷ（SWitch）２０２(1)とを有する。ＯＬＴ２０１(1)は、ＯＮＵ１０１(1-1)からＯＮＵ１０１(1-128)までの１２８台のＯＮＵ１０１との通信を制御し、例えば、各ＯＮＵ１０１がＯＬＴ２０１(1)に光信号を送信するタイミングなどを指示する。ＳＷ２０２(1)は、ＱｏＳ（Quality of Service）制御（優先処理や帯域保証など）、ＶＬＡＮ（Virtual Local Area Network）制御（ＶＬＡＮタグの制御など）、方路決定制御などを行う。同様に、運用系のＰＯＮ−ＩＦ１５１(2) は、ＯＬＴ２０１(2)と、ＳＷ２０２(2)とを有し、運用系のＰＯＮ−ＩＦ１５１(n-1) は、ＯＬＴ２０１(n-1)と、ＳＷ２０２(n-1)とを有する。ここで、ＯＬＴ２０１(2)およびＯＬＴ２０１(n-1)は、ＯＬＴ２０１(1)と同様に動作し、ＳＷ２０２(2)およびＳＷ２０２(n-1)は、ＳＷ２０２(1)と同様に動作する。尚、予備系のＰＯＮ−ＩＦ１５１(n) は、ＯＬＴ２０１(n)と、ＳＷ２０２(n)とを有する。但し、ＯＬＴ２０１(n)は、運用系のＯＬＴ２０１(1)からＯＬＴ２０１(n-1)のいずれかから切り替えられた場合に、ＯＬＴ２０１(1)からＯＬＴ２０１(n-1)の代わりに動作する。また、ＳＷ２０２(n)は、運用系のＳＷ２０２(1)からＳＷ２０２(n-1)のいずれかから切り替えられた場合に、ＳＷ２０２(1)からＳＷ２０２(n-1)の代わりに動作する。
【００２０】
ここで、ＯＬＴ２０１(1)、ＯＬＴ２０１(2)、ＯＬＴ２０１(n-1)およびＯＬＴ２０１(n)に共通の内容を説明する場合は、符号末尾の(1)，(2)，(n-1)および(n)を省略してＯＬＴ２０１と表記する。同様に、ＳＷ２０２(1)、ＳＷ２０２(2)、ＳＷ２０２(n-1)およびＳＷ２０２(n) に共通の内容を説明する場合は、符号末尾の(1)，(2)，(n-1)および(n)を省略してＳＷ２０２と表記する。
【００２１】
ＳＷ盤１５２は、ＰＯＮ−ＩＦ１５１(1)のＳＷ２０２(1)からＰＯＮ−ＩＦ１５１(n)のＳＷ２０２(n)までのｎ個のＳＷ２０２を集約して、上位網との間で送受信するパケットの方路を決定し、ＰＯＮ−ＩＦ１５１と上位網との間で通信を行う。
【００２２】
ＣＰＵ盤１５３は、ＰＯＮ−ＩＦ１５１(1)からＰＯＮ−ＩＦ１５１(n)までのｎ個のＰＯＮ−ＩＦ１５１の状態を監視したり、ＰＯＮ−ＩＦ１５１の動作を制御する。また、ＣＰＵ盤１５３は、光スイッチユニット１０３を制御して、複数のＯＮＵ１０１と複数のＰＯＮ−ＩＦ１５１との接続を切り替える。
【００２３】
ここで、ＣＰＵ盤１５３は、警報収集部３０１と、制御部３０２と、記憶部３０３と、切替部３０４とを有する。
【００２４】
警報収集部３０１は、ＰＯＮ−ＩＦ１５１が検出する回線障害警報を取得し、後述する制御部３０２に出力する。回線障害警報は、例えば、ＯＮＵ１０１とＯＬＴ２０１との間のリンクが切断されたことを示す「リンク断」などの警報である。特に、本実施形態では、警報収集部３０１は、例えばＯＮＵ１０１(1-1)からＯＮＵ１０１(1-128)までの全てのＯＮＵ１０１のリンクが切断された場合、「全リンク断」の警報を後述する制御部３０２に出力する。
【００２５】
制御部３０２は、ＣＰＵ（Central Processing Unit）を有し、予め記憶されたプログラムに従って、集線ＯＬＴ装置１０２全体の動作を制御する。例えば、制御部３０２は、運用系のＰＯＮ−ＩＦ１５１の故障時やメンテナンス時に、運用系のＰＯＮ−ＩＦ１５１から予備系のＰＯＮ−ＩＦ１５１に切り替える。そして、制御部３０２は、ＰＯＮ−ＩＦ１５１を運用系から予備系へ切り替える時、運用系のＰＯＮ−ＩＦ１５１が出力するタイミングに応じて、後述する切替部３０４を制御して光スイッチユニット１０３の切り替えを行う。ここで、運用系のＰＯＮ−ＩＦ１５１が出力するタイミングは、例えば、ＯＬＴ２０１がＯＮＵ１０１に指定する送信タイミングである。これにより、制御部３０２は、ＯＮＵ１０１とＯＬＴ２０１とが通信中の期間を知ることができ、通信中の期間を避けて光スイッチユニット１０３を切り替えることができる。例えば、ＯＮＵ１０１(1-1)をＯＬＴ２０１(1)からＯＬＴ２０１(n)に切り替える場合、ＯＬＴ２０１(1)は、制御部３０２にＯＮＵ１０１(1-1)がフレームを送信するタイミングを通知する。そして、制御部３０２は、ＯＬＴ２０１(1)から通知される送信タイミングと重ならないように光スイッチユニット１０３を制御し、ＯＮＵ１０１(1-1)をＯＬＴ２０１(1)からＯＬＴ２０１(n)に切り替える。このようにして、制御部３０２は、ＯＮＵ１０１とＯＬＴ２０１との間の通信が切断されないように、ＯＮＵ１０１を予備系のＯＬＴ２０１(n)に切り替えることができる。
【００２６】
記憶部３０３は、運用系の各ＰＯＮ−ＩＦ１５１の設定情報を保持する。設定情報は、例えば、各ＯＮＵ１０１の識別情報やリンクＩＤ（IDentification）などの情報である。
【００２７】
切替部３０４は、制御部３０２の指令に応じて、光スイッチユニット１０３の切り替えを行う。例えば、切替部３０４は、制御部３０２からＯＮＵ１０１(1-1)をＯＬＴ２０１(1)からＯＬＴ２０１(n)に切り替える指令を受けた場合、光スイッチユニット１０３の中のＭ対Ｎの光スイッチをオンオフするクロスポイントを特定する。そして、切替部３０４は、オンするクロスポイントの光スイッチをオンに切り替え、オフするクロスポイントの光スイッチをオフに切り替える。尚、光スイッチユニット１０３をオンオフする制御は、後述する図２および図４で詳しく説明する。
【００２８】
このようにして、集線ＯＬＴ装置１０２は、運用系のＰＯＮ−ＩＦ１５１の故障時やメンテナンス時に、運用系のＰＯＮ−ＩＦ１５１から予備系のＰＯＮ−ＩＦ１５１への切り替えを行う。
【００２９】
図２は、光スイッチユニット１０３をオンオフする制御の一例を示す。尚、図２において、図１と同符号のブロックは、図１と同一又は同様の機能を有する。図２において、光スイッチユニット１０３内の各線は、光信号が流れる光路を示し、各光路のクロスポイントが黒丸印の場合はオン（交差する光路に光信号が流れる）、クロスポイントが白丸印の場合はオフ（交差する光路に光信号が流れない）をそれぞれ示す。図２の例では、ＯＬＴ２０１(1)の線Ｂ１は、線Ａ１に接続されている。そして、線Ａ１には、ＯＮＵ１０１(1-1)の線Ｃ１と、ＯＮＵ１０１(1-2)の線Ｃ２と、ＯＮＵ１０１(1-3)の線Ｃ３と、ＯＮＵ１０１(1-128)の線Ｃ１２８とが接続されている。これにより、ＯＮＵ１０１(1-1)からＯＮＵ１０１(1-128)までの１２８個のＯＮＵ１０１は、ＯＬＴ２０１(1)との間で光信号を送受信できる。尚、図示していないＯＮＵ１０１(1-4)からＯＮＵ１０１(1-127)は、ＯＮＵ１０１(1-1)と同様に、線Ａ１に接続されている。
【００３０】
同様に、ＯＬＴ２０１(2)の線Ｂ２は、線Ａ２に接続されている。そして、線Ａ２には、ＯＮＵ１０１(2-1)の線Ｄ１と、ＯＮＵ１０１(2-2)の線Ｄ２と、ＯＮＵ１０１(2-3)の線Ｄ３と、ＯＮＵ１０１(2-128)の線Ｄ１２８とが接続されている。これにより、ＯＮＵ１０１(2-1)からＯＮＵ１０１(2-128)までの１２８個のＯＮＵ１０１は、ＯＬＴ２０１(2) との間で光信号を送受信できる。尚、図示していないＯＮＵ１０１(2-4)からＯＮＵ１０１(2-127)は、ＯＮＵ１０１(2-1)と同様に、線Ａ２に接続されている。また、図２では省略してあるが、図１に示したＯＮＵ１０１((n-1)-1)からＯＮＵ１０１((n-1)-128)についても、光スイッチユニット１０３を介してＯＬＴ２０１(n-1)との間で光信号を送受信する。
【００３１】
ここで、予備系のＰＯＮ−ＩＦ１５１(n)のＯＬＴ２０１(n)は、線Ｂ３に接続されているが、線Ｂ３は、線Ａ１から線Ａ４までのいずれにも接続されておらず、ＯＬＴ２０１(n)は、待機している状態にある。
【００３２】
一般に、ＯＬＴ２０１は、複数のＯＮＵ１０１がデータを送信するタイミング（送信開始時刻、送信時間など）を指定して、複数のＯＮＵ１０１が送信するデータが重複しないように制御する。そして、ＯＮＵ１０１は、ＯＬＴ２０１から指定された送信タイミングでレーザーダイオードを発光させ、ＯＬＴ２０１にデータを送信する。ところが、一部のＯＮＵ１０１が誤発光の状態に陥った場合、他の正常なＯＮＵ１０１のレーザーダイオードの発光と重なるため、正常なＯＮＵ１０１の送信データが誤ってしまうという問題が生じる。
【００３３】
図３は、誤発光が発生した時の問題点を示す。尚、図３において、横軸は時間ｔである。図３（ａ）は、図２に示したＯＮＵ１０１(1-1)からＯＮＵ１０１(1-128)までのＯＮＵ１０１のうち、ＯＮＵ１０１(1-1)、ＯＮＵ１０１(1-2)およびＯＮＵ１０１(1-3)の３つのＯＮＵ１０１が送信するデータのタイミング例を示している。図３（ａ）において、ＯＮＵ１０１(1-1)は、タイミングＴ１でレーザーダイオードの発光を開始し、タイミングＴ２でレーザーダイオードの発光を終了する。つまり、ＯＮＵ１０１(1-1)は、タイミングＴ１からタイミングＴ２までの期間、レーザーダイオードを発光してデータを送信する。次に、ＯＮＵ１０１(1-2)は、タイミングＴ３でレーザーダイオードの発光を開始し、タイミングＴ４でレーザーダイオードの発光を終了する。つまり、ＯＮＵ１０１(1-2)は、タイミングＴ３からタイミングＴ４までの期間、レーザーダイオードを発光してデータを送信する。同様に、ＯＮＵ１０１(1-3)は、タイミングＴ５からタイミングＴ６までの期間レーザーダイオードを発光してデータを送信する。
【００３４】
一方、図３（ｂ）は、図３（ａ）と同様に、ＯＮＵ１０１(1-1)、ＯＮＵ１０１(1-2)およびＯＮＵ１０１(1-3)がデータをＯＬＴ２０１(1)に送信するタイミングを示しているが、ＯＮＵ１０１(1-2)が故障して誤発光の状態になる例を示している。図３（ｂ）において、ＯＮＵ１０１(1-1)は、タイミングＴ１からタイミングＴ２までの期間、レーザーダイオードを発光してＯＬＴ２０１(1)にデータを送信している。次に、ＯＮＵ１０１(1-2)は、タイミングＴ３でＯＬＴ２０１(1)へのデータの送信を開始するが、データの送信を終了するタイミングＴ４を過ぎてもレーザーダイオードの発光を終了せず、誤発光の状態に陥る。このため、ＯＮＵ１０１(1-3)は、タイミングＴ５からタイミングＴ６までの期間レーザーダイオードを発光してＯＬＴ２０１(1)にデータを送信するが、ＯＮＵ１０１(1-2)の誤発光と衝突するため、ＯＬＴ２０１(1)にデータを正常に送信することが困難である。尚、図３（ｂ）では、ＯＮＵ１０１(1-3)がＯＬＴ２０１(1)に正常にデータを送信することが困難な例を示したが、タイミングＴ６以降に送信タイミングが回ってくる他のＯＮＵ１０１についてもＯＬＴ２０１(1)にデータを正常に送信することが困難である。例えば、同じＯＬＴ２０１(1)に収容されるＯＮＵ１０１(1-4)からＯＮＵ１０１(1-128)およびＯＮＵ１０１(1-1)は、ＯＬＴ２０１(1)に正常にデータを送信することが難しい。
【００３５】
このように、ＯＮＵ１０１が誤発光に陥ったＯＮＵ１０１(1-2)を含むＯＬＴ２０１(1)に収容される全てのＯＮＵ１０１がＯＬＴ２０１(1)に正常にデータを送信できなくなり、ＯＬＴ２０１(1)とＯＮＵ１０１との間のリンクが切断され、回線障害が発生する。そして、図１に示したＣＰＵ盤１５３の制御部３０２は、ＰＯＮ−ＩＦ１５１(1)から回線障害警報を受信して、ＯＬＴ２０１(1)に収容される全てのＯＮＵ１０１のリンク断を検出する。このようにして、制御部３０２は、ＯＮＵ１０１(1-1)からＯＮＵ１０１(1-128)までのいずれかのＯＮＵ１０１が誤発光に陥っていることを認識する。ところが、制御部３０２は、どのＯＮＵ１０１が誤発光に陥っているのかを特定していないので、保守者は、誤発光のＯＮＵ１０１を切り離すことが難しく、迅速にＯＬＴ２０１(1)の通信を復旧することが困難である。
【００３６】
そこで、本実施形態に係るＰＯＮシステム１００は、光スイッチユニット１０３により、ＯＬＴ２０１(1)に収容されているＯＮＵ１０１(1-1)からＯＮＵ１０１(1-128)までの１２８台のＯＮＵ１０１の一部を予備系のＯＬＴ２０１(n)に切り替える処理を行う。尚、ここでは、制御部３０２が１２８台のＯＮＵ１０１を１台ずつ予備系のＯＬＴ２０１(n)に切り替える処理を行う場合について説明する。例えば、制御部３０２は、先ず、ＯＮＵ１０１(1-1)をＯＬＴ２０１(n)に切り替えて、ＯＬＴ２０１(1)の通信が復旧するか否かを確認する。そして、制御部３０２は、ＯＬＴ２０１(1)の通信が復旧した場合、ＯＮＵ１０１(1-2)からＯＮＵ１０１(1-128)は正常であり、誤発光のＯＮＵ１０１はＯＮＵ１０１(1-1)であると特定できる。尚、制御部３０２は、ＯＮＵ１０１(1-1)をＯＬＴ２０１(n)に切り替えても通信が復旧しない場合、次のＯＮＵ１０１(1-2)をＯＬＴ２０１(n)に切り替えて通信が復旧するか否かを確認する。このようにして、制御部３０２は、ＯＮＵ１０１(1-1)からＯＮＵ１０１(1-128)まで、通信が普及するまで同様の処理を繰り返して、誤発光に陥ったＯＮＵ１０１を特定する。
【００３７】
図４は、運用系のＯＬＴ２０１(1)から予備系のＯＬＴ２０１(n)に切り替える時の一例を示す。尚、図４において、図２と同様に、クロスポイントが黒丸印の場合はオン、白丸印の場合はオフをそれぞれ示している。
【００３８】
図４（ａ）において、ＯＮＵ１０１(1-1)の線Ｃ１は、線Ａ２に接続され、運用系のＯＬＴ２０１(1)が接続されている線Ａ１には接続されていない。一方、予備系のＯＬＴ２０１(n)の線Ｂ３は、線Ａ２に接続されているので、線Ａ２を介してＯＮＵ１０１(1-1)の線Ｃ１に接続される。これにより、ＯＮＵ１０１(1-1)は、予備系のＯＬＴ２０１(n)に収容され、ＯＬＴ２０１(n)との間で通信を行うことができる。尚、図４（ａ）の状態では、ＯＮＵ１０１(1-1)がＯＬＴ２０１(n)に収容され、ＯＮＵ１０１(1-2)からＯＮＵ１０１(1-128)までの１２７台のＯＮＵ１０１は、ＯＬＴ２０１(1)に収容されたままの状態にある。この状態で、ＯＮＵ１０１(1-2)からＯＮＵ１０１(1-128)までのＯＮＵ１０１のリンクが復旧した場合、制御部３０２は、ＯＮＵ１０１(1-1)が誤発光のＯＮＵ１０１であると判断する。
【００３９】
次に、図４（ｂ）において、ＯＮＵ１０１(1-2)の線Ｃ２は、線Ａ２に接続され、運用系のＯＬＴ２０１(1)が接続されている線Ａ１には接続されていない。そして、ＯＮＵ１０１(1-2)は、線Ａ２を介して予備系のＯＬＴ２０１(n)の線Ｂ３に接続され、予備系のＯＬＴ２０１(n)に収容される。これにより、ＯＮＵ１０１(1-2)は、ＯＬＴ２０１(n)との間で通信を行うことができる。尚、図４（ｂ）の状態では、ＯＮＵ１０１(1-1)およびＯＮＵ１０１(1-2)がＯＬＴ２０１(n)に収容され、ＯＮＵ１０１(1-3)からＯＮＵ１０１(1-128)までの１２６台のＯＮＵ１０１は、ＯＬＴ２０１(1)に収容されたままの状態にある。この状態で、ＯＮＵ１０１(1-3)からＯＮＵ１０１(1-128)までのＯＮＵ１０１のリンクが復旧した場合、制御部３０２は、直前に予備系のＯＬＴ２０１に切り替えたＯＮＵ１０１(1-2)が誤発光のＯＮＵ１０１であると判断する。
【００４０】
さらに、図４（ｃ）において、ＯＮＵ１０１(1-3)の線Ｃ３は、線Ａ２に接続され、運用系のＯＬＴ２０１(1)が接続されている線Ａ１には接続されていない。そして、ＯＮＵ１０１(1-3)は、線Ａ２を介して予備系のＯＬＴ２０１(n)の線Ｂ３に接続され、予備系のＯＬＴ２０１(n)に収容される。これにより、ＯＮＵ１０１(1-3)は、ＯＬＴ２０１(n)との間で通信を行うことができる。尚、図４（ｃ）の状態では、ＯＮＵ１０１(1-1)，ＯＮＵ１０１(1-2)およびＯＮＵ１０１(1-3)がＯＬＴ２０１(n)に収容され、ＯＮＵ１０１(1-4)からＯＮＵ１０１(1-128)までの１２５台のＯＮＵ１０１は、ＯＬＴ２０１(1)に収容されたままの状態にある。この状態で、ＯＮＵ１０１(1-4)からＯＮＵ１０１(1-128)までのＯＮＵ１０１のリンクが復旧した場合、制御部３０２は、直前に予備系のＯＬＴ２０１に切り替えたＯＮＵ１０１(1-3)が誤発光のＯＮＵ１０１であると判断する。そして、制御部３０２は、図４（ｄ）に示すように、誤発光のＯＮＵ１０１(1-3)の線Ｃ３と線Ａ２との接続をオフにして、誤発光のＯＮＵ１０１(1-3)を切り離す。これにより、ＯＮＵ１０１(1-1)およびＯＮＵ１０１(1-2)は、予備系のＯＬＴ２０１(n)を介して通信することができ、ＯＮＵ１０１(1-4)からＯＮＵ１０１(1-128)は、運用系のＯＬＴ２０１(1)を介して通信することができる。この後、制御部３０２は、予備系のＯＬＴ２０１(n)に接続されているＯＮＵ１０１(1-1)およびＯＮＵ１０１(1-2)を運用系のＯＬＴ２０１(1)に切り戻し、ＯＬＴ２０１(n)は、再び、待機状態に戻る。
【００４１】
このようにして、制御部３０２は、運用系のＯＬＴ２０１(1)から予備系のＯＬＴ２０１(n)にＯＮＵ１０１を１台ずつ順番に切り替えて、誤発光のＯＮＵ１０１を特定し、切り離すことができる。
【００４２】
図５は、誤発光のＯＮＵ１０１を特定する処理例を示す。尚、図５に示した処理は、ＰＯＮ−ＩＦ１５１およびＣＰＵ盤１５３により実行される。
【００４３】
ステップＳ１０１において、ＰＯＮ−ＩＦ１５１は、ＯＬＴ２０１の状態を監視する。
【００４４】
ステップＳ１０２において、ＰＯＮ−ＩＦ１５１は、ステップＳ１０１で取得したＰＯＮ−ＩＦ１５１の状態を判別する。例えば、ＰＯＮ−ＩＦ１５１は、ＯＬＴ２０１に回線障害がある場合、ステップＳ１０３の処理に進み、ＯＬＴ２０１に回線障害がない場合、ステップＳ１０１の処理に戻る。
【００４５】
ステップＳ１０３において、ＰＯＮ−ＩＦ１５１は、全ＯＮＵ１０１のリンクが切断されているか否かを判別する。そして、制御部３０２は、全ＯＮＵ１０１がリンク断の状態になっている場合、ステップＳ１０５の処理に進み、全ＯＮＵ１０１がリンク断の状態になっていない場合、ステップＳ１０４の処理に進む。
【００４６】
ステップＳ１０４において、ＰＯＮ−ＩＦ１５１は、ＯＬＴ２０１が正常であると判断して、予備系のＰＯＮ−ＩＦ１５１への切り替えを実施しない。この理由は、例えば、ユーザーがＯＮＵ１０１の電源を切った場合、当該ＯＮＵ１０１のリンクが切断されるが、他のＯＮＵ１０１のリンクは切断されないからである。このような場合、ＰＯＮ−ＩＦ１５１は、ＯＬＴ２０１が正常であると判断する。
【００４７】
ステップＳ１０５において、ＰＯＮ−ＩＦ１５１は、全ＯＮＵ１０１のリンクが切断されたことを示す回線障害警報をＣＰＵ盤１５３の制御部３０２に通知する。
【００４８】
ステップＳ１０６において、制御部３０２は、運用系のＰＯＮ−ＩＦ１５１から予備系のＰＯＮ−ＩＦ１５１へ設定情報を移行する。ここで、設定情報は、例えばＶＬＡＮ設定やＱｏＳ設定などの情報である。
【００４９】
ステップＳ１０７において、制御部３０２は、図４で説明したように、運用系のＰＯＮ−ＩＦ１５１のＯＬＴ２０１に収容されている複数のＯＮＵ１０１を１台ずつ予備系のＰＯＮ−ＩＦ１５１のＯＬＴ２０１に切り替える。
【００５０】
ステップＳ１０８において、制御部３０２は、運用系のＰＯＮ−ＩＦ１５１のＯＬＴ２０１のリンク断が復旧したか否かを判別する。そして、制御部３０２は、運用系のＯＬＴ２０１のリンク断が復旧した場合、ステップＳ１０９の処理に進み、リンク断が復旧しない場合、ステップＳ１０７の処理に戻る。
【００５１】
ステップＳ１０９において、制御部３０２は、図４で説明したように、回線障害の原因となっている誤発光のＯＮＵ１０１を特定する。
【００５２】
ステップＳ１１０において、制御部３０２は、光スイッチユニット１０３を制御して、ステップＳ１０９で特定した誤発光のＯＮＵ１０１を切り離す。例えば図４（ｃ）において、ＯＮＵ１０１(1-3)が誤発光のＯＮＵ１０１であると分かった場合、制御部３０２は、図４（ｄ）に示したように、ＯＮＵ１０１(1-3)の線Ｃ３と線Ａ２との接続をオフにする。これにより、ＯＮＵ１０１(1-3)は、どの線にも接続されていない状態になり、いずれのＯＬＴ２０１からも切り離される。
【００５３】
ステップＳ１１１において、制御部３０２は、予備系のＯＬＴ２０１に切り替えたＯＮＵ１０１を元の運用系のＯＬＴ２０１に切り戻す。例えば図４（ｄ）において、制御部３０２は、ＯＮＵ１０１(1-3)を切り離した後、予備系のＯＬＴ２０１に切り替えられているＯＮＵ１０１(1-1)およびＯＮＵ１０１(1-2)を元の運用系のＯＬＴ２０１に切り戻す。ここで、予備系のＯＬＴ２０１から運用系のＯＬＴ２０１への切り戻す処理は、ステップＳ１０７で行った光スイッチユニット１０３の切り替え処理を逆に行う処理である。例えば図４（ｄ）において、ＯＮＵ１０１(1-1)の線Ｃ１およびＯＮＵ１０１(1-2)の線Ｃ２と線Ａ２との接続を切り離し、線Ａ１に接続する。
【００５４】
このようにして、本実施形態に係るＰＯＮシステム１００は、誤発光のＯＮＵ１０１を特定して切り離し、正常なＯＮＵ１０１による通信を迅速に復旧することができる。
［応用例１］
先の実施形態では、集線ＯＬＴ装置１０２は、運用系のＯＬＴ２０１に収容される複数のＯＮＵ１０１を予備系のＯＬＴ２０１に１台ずつ切り替える毎に運用系のＯＬＴ２０１に接続されている残りのＯＮＵ１０１のリンクが復旧するか否かを確認した。そして、集線ＯＬＴ装置１０２は、切り替え後にリンクが復旧した場合に、直前に切り替えたＯＮＵ１０１が誤発光のＯＮＵ１０１であると特定した。
【００５５】
先の実施形態に対して、本応用例１の場合、集線ＯＬＴ装置１０２は、複数のＯＮＵ１０１のうち、予め決められた台数または予め決められた割合のＯＮＵ１０１を運用系のＯＬＴ２０１から予備系のＯＬＴ２０１に切り替える。これにより、本応用例に係るＰＯＮシステム１００は、先の実施形態よりも速く誤発光のＯＮＵ１０１を特定することができる。
【００５６】
例えば、予め決められた台数のＯＮＵ１０１を切り替える場合、制御部３０２は、運用系のＯＬＴ２０１に接続されている複数台のＯＮＵ１０１の中から所定台数（２台ずつや３台ずつなど）のＯＮＵ１０１を一度に予備系のＯＬＴ２０１に切り替える。そして、切り替え後に運用系のＯＬＴ２０１のリンクが復旧した場合、制御部３０２は、予備系のＯＬＴ２０１に切り替えた所定台数のＯＮＵ１０１の中に誤発光のＯＮＵ１０１が含まれていると判断する。さらに、制御部３０２は、予備系のＯＬＴ２０１に切り替えた所定台数のＯＮＵ１０１を１台ずつ運用系のＯＬＴ２０１に切り戻す。そして、再び、運用系のＯＬＴ２０１のリンクが切断された場合、或いは、予備系のＯＬＴ２０１のリンクが復旧した場合、制御部３０２は、直前に切り戻したＯＮＵ１０１が誤発光のＯＮＵ１０１であると判断する。ここで、所定台数が２台の場合、制御部３０２は、１２８台のＯＮＵ１０１の中から誤発光のＯＮＵ１０１を特定するために、最大で６４回の切り替えを行えばよい。尚、最大で６４回となるのは、１番目から順番に処理するとして、１２７番目または１２８番目のＯＮＵ１０１が誤発光のＯＮＵ１０１である場合に該当する。この場合、制御部３０２は、２台ずつ６３回の切り替えを行えば、１２７番目または１２８番目のＯＮＵ１０１が誤発光のＯＮＵ１０１であることが分かる。そして、制御部３０２は、１２７番目のＯＮＵ１０１または１２８番目のＯＮＵ１０１のいずれかを切り替えることで、誤発光のＯＮＵ１０１を特定できる。これに対して、先の実施形態の場合、制御部３０２は、１台ずつ切り替えるので、誤発光のＯＮＵ１０１を特定するまでに最大で１２７回の切り替えを行うことになる。
【００５７】
一方、予め決められた割合のＯＮＵ１０１を切り替える場合、制御部３０２は、運用系のＯＬＴ２０１に接続されている複数台のＯＮＵ１０１の中から所定割合の台数（５０％の台数など）のＯＮＵ１０１を一度に予備系のＯＬＴ２０１に切り替える。そして、切り替え後に運用系のＯＬＴ２０１のリンクが復旧した場合、制御部３０２は、予備系のＯＬＴ２０１に切り替えた所定割合の台数のＯＮＵ１０１の中に誤発光のＯＮＵ１０１が含まれていると判断する。或いは、切り替え後に運用系のＯＬＴ２０１のリンクが復旧しない場合、制御部３０２は、運用系のＯＬＴ２０１に残っているＯＮＵ１０１の中に誤発光のＯＮＵ１０１が含まれていると判断する。
【００５８】
ここでは、予備系のＯＬＴ２０１に切り替えた所定割合の台数のＯＮＵ１０１の中に誤発光のＯＮＵ１０１が含まれている場合について説明する。制御部３０２は、予備系のＯＬＴ２０１に切り替えた所定割合の台数のＯＮＵ１０１に対して所定割合の台数（５０％の台数など）のＯＮＵ１０１を運用系のＯＬＴ２０１に切り戻す。そして、再び、運用系のＯＬＴ２０１のリンクが切断された場合、或いは、予備系のＯＬＴ２０１のリンクが復旧した場合、制御部３０２は、直前に切り戻したＯＮＵ１０１の中に誤発光のＯＮＵ１０１があると判断する。
【００５９】
このように、制御部３０２は、誤発光のＯＮＵ１０１が含まれている複数のＯＮＵ１０１に対して、所定割合のＯＮＵ１０１を予備系または運用系のＯＬＴ２０１に切り替える処理を繰り返して誤発光のＯＮＵ１０１を特定する。
【００６０】
ここで、所定割合が５０％の場合、制御部３０２は、図１に示した１２８台のＯＮＵ１０１の中から誤発光のＯＮＵ１０１を特定するために、最大で７回の切り替えを行えばよい。尚、最大で７回となる理由は、１回切り替える毎に半分の台数のＯＮＵ１０１に絞り込むことができるからである。例えば１２８台のＯＮＵ１０１の場合、制御部３０２は、１回目の切り替えで６４台に絞り込み、２回目の切り替えで３２台に絞り込むことができる。さらに、制御部３０２は、３回目で１６台、４回目で８台、５回目で４台、６回目で２台、７回目で１台のように、誤発光のＯＮＵ１０１を特定することができる。
【００６１】
尚、５０％の割合のＯＮＵ１０１を切り替える場合、制御部３０２は、ＯＬＴ２０１に収容されているＯＮＵ１０１の台数に応じて、１番目から６４番目までと、６５番目から１２８番目までとに分けてもよいし、奇数番目と偶数番目とにわけてもよい。奇数番目と偶数番目とのＯＮＵ１０１に分ける場合、収容台数に依存しないので、処理を共通化できる利点がある。ここで、奇数番目および偶数番目は、必ずしもＯＮＵ１０１の番号ではなく、同じＯＬＴ２０１に収容されているＯＮＵ１０１の順番である。例えば図１の場合、ＯＬＴ２０１(1)に収容されているＯＮＵ１０１(1-1)、ＯＮＵ１０１(1-3)が奇数番目のＯＮＵ１０１であるが、ＯＮＵ１０１(1-1)、ＯＮＵ１０１(1-3)が予備系のＯＬＴ２０１(n)に収容された場合、ＯＮＵ１０１(1-3)が偶数番目のＯＮＵ１０１となる。
【００６２】
図６は、奇数番目のＯＮＵ１０１を切り替える一例を示す。図６において、奇数番目のＯＮＵ１０１は、ＯＮＵ１０１(1-1)からＯＮＵ１０１(1-128)までの１２８台のＯＮＵ１０１のうち、ＯＮＵ１０１(1-1)、ＯＮＵ１０１(1-3)、・・・・、ＯＮＵ１０１(1-127)の６４台（５０％の割合の台数）である。そして、偶数番目のＯＮＵ１０１ (1-2)、ＯＮＵ１０１(1-4)、・・・・、ＯＮＵ１０１(1-128)は、線Ａ１に接続され、線Ｂ１を介して運用系のＯＬＴ２０１(1)に収容される。一方、奇数番目のＯＮＵ１０１ (1-1)、ＯＮＵ１０１(1-3)、・・・・、ＯＮＵ１０１(1-127)は、線Ａ２に接続され、線Ｂ３を介して予備系のＯＬＴ２０１(n)に収容される。ここで、運用系のＯＬＴ２０１(1)のリンクが復旧した場合、誤発光のＯＮＵ１０１は、予備系のＯＬＴ２０１(n)に収容されている奇数番目のＯＮＵ１０１のいずれかである。逆に、運用系のＯＬＴ２０１(1)のリンクが復旧しない場合、誤発光のＯＮＵ１０１は、運用系のＯＬＴ２０１(1)に収容されている偶数番目のＯＮＵ１０１のいずれかである。
【００６３】
次に、ＣＰＵ盤１５３は、誤発光のＯＮＵ１０１が含まれている方のＯＬＴ２０１に収容されているＯＮＵ１０１の中から誤発光のＯＮＵ１０１を特定する処理を行う。例えば、運用系のＯＬＴ２０１(1)のリンクが復旧しない場合、ＣＰＵ盤１５３は、運用系のＯＬＴ２０１(1)に収容されている残りのＯＮＵ１０１を１台ずつ予備系のＯＬＴ２０１(n)に切り替えて運用系のＯＬＴ２０１(1)のリンクが復旧するか否かを確認する処理を行う。例えば、ＣＰＵ盤１５３の制御部３０２は、図５のステップＳ１０７およびステップＳ１０８の処理と同様の処理を行い、誤発光のＯＮＵ１０１を特定する。
【００６４】
或いは、ＣＰＵ盤１５３は、運用系または予備系のＯＬＴ２０１のうちリンクが復旧しない方のＯＬＴ２０１に収容されている残りのＯＮＵ１０１の何台かをリンクが復旧した方のＯＬＴ２０１に切り替えて、リンクの復旧を確認する処理を行う。以降、同様に、ＣＰＵ盤１５３は、リンクが復旧しなかった方のＯＬＴ２０１に収容されている残りのＯＮＵ１０１の中から誤発光のＯＮＵ１０１を特定する処理を繰り返し行う。
【００６５】
このようにして、本応用例１に係るＰＯＮシステム１００は、先の実施形態のように１台ずつ切り替える場合に比べて、迅速に誤発光のＯＮＵ１０１を特定することができる。
［応用例２］
図７は、図１に示したＰＯＮ−ＩＦ１５１が複数のＯＬＴ２０１を有する場合の一例を示す。尚、図７において、図１と同符号のブロックは、図１と同一又は同様の機能を有する。図７に示したＰＯＮシステム１００が図１と異なる点は、ＰＯＮ−ＩＦ１５１が複数のＯＬＴ２０１を有することである。例えば、運用系のＰＯＮ−ＩＦ１５１(1)は、ＯＬＴ２０１(1)_1からＯＬＴ２０１(1)_mまでの複数のＯＬＴ２０１を有し、運用系のＰＯＮ−ＩＦ１５１(2)は、ＯＬＴ２０１(2)_1からＯＬＴ２０１(2)_mまでの複数のＯＬＴ２０１を有する。ここで、ｍは、２以上の整数である。同様に、予備系のＰＯＮ−ＩＦ１５１(n)は、ＯＬＴ２０１(n)_1からＯＬＴ２０１(n)_mまでの複数のＯＬＴ２０１を有する。そして、ＯＬＴ２０１(1)_1は、ＯＮＵ１０１(1-1)_1からＯＮＵ１０１(1-128)_1までの１２８台のＯＮＵ１０１を収容する。同様に、ＯＬＴ２０１(1)_2からＯＬＴ２０１(1)_mまでのＯＬＴ２０１は、それぞれ１２８台のＯＮＵ１０１を収容する。尚、運用系のＰＯＮ−ＩＦ１５１(2)についてもｍ台のＯＬＴ２０１を有し、各ＯＬＴ２０１は、それぞれ１２８台のＯＮＵ１０１を収容する。
【００６６】
予備系のＰＯＮ−ＩＦ１５１(n)は、ＰＯＮ−ＩＦ１５１(1)と同様に、ＯＬＴ２０１(n)_1からＯＬＴ２０１(n)_mまでのｍ台のＯＬＴ２０１を有するが、各ＯＬＴ２０１は、ＯＮＵ１０１を収容せず、待機状態になっている。そして、予備系のＰＯＮ−ＩＦ１５１(n)は、運用系のＰＯＮ−ＩＦ１５１の故障時またはメンテナンス時に、運用系のＰＯＮ−ＩＦ１５１の代わりに動作する。
【００６７】
そして、ＣＰＵ盤１５３の制御部３０２は、いずれかのＰＯＮ−ＩＦ１５１が回線障害情報を出力している場合、図５のフローチャートで説明したように、誤発光のＯＮＵ１０１を特定して切り離す処理を行う。例えば、図７において、ＯＮＵ１０１(1-1)_mが誤発光の状態になると、ＯＬＴ２０１(1)_mが回線障害情報を出力する。そして、ＯＬＴ２０１(1)_mが回線障害情報を出力している場合、制御部３０２は、ＯＬＴ２０１(1)_mに収容されているＯＮＵ１０１(1-1)_mからＯＮＵ１０１(1-128)_mまでのＯＮＵ１０１のいずれかが誤発光に陥ったと判断する。さらに、制御部３０２は、ＯＮＵ１０１(1-1)_mからＯＮＵ１０１(1-128)_mまでのＯＮＵ１０１を予備系のＰＯＮ−ＩＦ１５１(n)のＯＬＴ２０１(n)_mに切り替える処理を行い、誤発光のＯＮＵ１０１を特定する。尚、制御部３０２が運用系のＯＬＴ２０１(1)_mから予備系のＯＬＴ２０１(n)_mに切り替える時、先の実施形態で説明したように、１台ずつＯＮＵ１０１を切り替えてもよいし、予め決められた複数台のＯＮＵ１０１を切り替えてもよい。
【００６８】
このようにして、本応用例２に係るＰＯＮシステム１００は、誤発光のＯＮＵ１０１を特定し、切り離すことができる。
【００６９】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００７０】
１００・・・ＰＯＮシステム；１０１・・・ＯＮＵ；１０２・・・集線ＯＬＴ装置；１０３・・・光スイッチユニット；１５１・・・ＰＯＮ−ＩＦ；１５２・・・ＳＷ盤；１５３・・・ＣＰＵ盤；２０１・・・ＯＬＴ；２０２・・・ＳＷ；３０１・・・警報収集部；３０２・・・制御部；３０３・・・記憶部；３０４・・・切替部
【図１】
2015144368.tif 000003
【図２】
2015144368.tif 000004
【図３】
2015144368.tif 000005
【図４】
2015144368.tif 000006
【図５】
2015144368.tif 000007
【図６】
2015144368.tif 000008
【図７】
2015144368.tif 000009